(57)【特許請求の範囲】
【請求項１】
カード挿入口より挿入された磁気カードをカードリーダ内部に取り込むためのカード取り込み手段と前記磁気カードに設けられた磁気データを再生する磁気ヘッドとを有する磁気カードリーダのカード取り込み方法において、前記カード取り込み手段による前記磁気カードの取り込み動作に対し、前記磁気ヘッドにより所定の再生信号が出力されたときは前記磁気カードを内部に取り込み、前記磁気ヘッドによる前記所定の再生信号が出力されないときは前記磁気カードの取り込みを停止することに加え、前記磁気ヘッドは前記磁気カードのデータトラックに記録された最初のデータ部分を再生してカードの取り込み継続を判断するものであることを特徴とする磁気カードリーダのカード取り込み方法。
【請求項２】
カード挿入口より挿入された磁気カードをカードリーダ内部に取り込むためのカード取り込み手段と前記磁気カードに設けられた磁気データを再生する磁気ヘッドとを有する磁気カードリーダのカード取り込み方法において、前記カード取り込み手段による前記磁気カードの取り込み動作に対し、前記磁気ヘッドにより所定の再生信号が出力されたときは前記磁気カードを内部に取り込み、前記磁気ヘッドによる前記所定の再生信号が出力されないときは前記磁気カードの取り込みを停止することに加え、前記磁気ヘッドを前記カード挿入口の近傍位置に設け、前記カードの取り込みを停止したとき前記カードの後端が前記カード挿入口より突出した位置となるように設定し、前記カードの取り込み停止は停止状態を継続するモードとしたことを特徴とする磁気カードリーダのカード取り込み方法。
【請求項３】
前記磁気カードの取り込み停止は、停止状態を継続するモードと、カードを排出するモードのいずれかであることを特徴とする請求項１または２に記載の磁気カードリーダのカード取り込み方法。
【請求項４】
前記磁気カードの挿入を検出する検出スイッチを設け、前記カード取り込み手段はカード移送用の駆動手段を駆動するモータを有し、前記検出スイッチによるカード挿入検出により前記モータをカード取り込み方向に回転させるとともに前記磁気ヘッドを動作させ、前記磁気ヘッドにより所定の再生信号が出力されたときは前記モータの回転を継続し、前記磁気ヘッドによる前記所定の再生信号が出力されないときは前記モータを逆転させることを特徴とする請求項１または２に記載の磁気カードリーダのカード取り込み方法。
【請求項５】
前記磁気ヘッドを前記カード挿入口の近傍位置に設け、前記カードの取り込みを停止したとき前記カードの後端が前記カード挿入口より突出した位置となるように設定し、前記カードの取り込み停止は停止状態を継続するモードとしたことを特徴とする請求項１に記載の磁気カードリーダのカード取り込み方法。
【請求項６】
前記磁気カードの最初のデータ部分はあらかじめ定められた特定のデータが記録された部分であることを特徴とする請求項１から５のいずれかに記載の磁気カードリーダのカード取り込み方法。
【発明の詳細な説明】
【０００１】
【発明の属する技術分野】
本発明は、磁気カードリーダのカード取り込み方法に関する。更に詳述すると、本発明は、カードを磁気カードリーダ内へ取り込む際にカードを識別する方法の改良に関する。
【０００２】
【従来の技術】
磁気カードリーダでは、その装置内に取り込まれた磁気カードを所定位置まで搬送してデータの記録や読み込みを行うようにしている。このとき、種別が異なるものなど真正でないカードを受け入れないようにするため、カード挿入口に設けられたプリヘッド１０１にてカードの磁気を検出し、このプリヘッド１０１に図３に示すような構成によりシャッタ１０２を連動させ、磁気のないカードなどの侵入を防ぐように設けられたものがある。
【０００３】
【発明が解決しようとする課題】
しかしながら、このようなカードリーダ、その中でも特に小型の装置において、スペース的にもコスト的にもこのプリヘッド１０１をできれば省略したいという要請がある。このような要請に応えるものとしては、磁気データ用の磁気ヘッド１０３をプリヘッド１０１としても用いるようにすることが一例として挙げられる。
【０００４】
一方、このように磁気ヘッド１０３がプリヘッド１０１の働きも兼ねた構成とされた磁気カードリーダでは、例えば異形や穴あきのカードを従来のようにカードリーダ内部に全部取り込んでしまった場合に、センサが誤動作するなどし、これらを詰まらせてしまい排出することができなくなってしまうおそれがある。このような問題は、カードリーダ内部にカードを全部取り込んでしまうまでにその真偽を判別することができれば回避され得るものである。
【０００５】
そこで本発明は、磁気ヘッドにプリヘッドの機能を兼ね備えさせた磁気カードリーダとすると共に、カード全部を内部に取り込むことなくその真偽や種別判断を行うことを可能とする磁気カードリーダのカード取り込み方法を提供することを目的とする。
【０００６】
【課題を解決するための手段】
かかる目的を達成するため、請求項１記載の発明では、カード挿入口より挿入された磁気カードをカードリーダ内部に取り込むためのカード取り込み手段と磁気カードに設けられた磁気データを再生する磁気ヘッドとを有する磁気カードリーダのカード取り込み方法において、カード取り込み手段による磁気カードの取り込み動作に対し、磁気ヘッドにより所定の再生信号が出力されたときは磁気カードを内部に取り込み、磁気ヘッドによる所定の再生信号が出力されないときは磁気カードの取り込みを停止することに加え、磁気ヘッドは磁気カードのデータトラックに記録された最初のデータ部分を再生してカードの取り込み継続を判断するものであることを特徴としている。
【０００７】
したがって磁気カードかどうかの判別などが、磁気ヘッドが磁気カードの所定の再生信号の有無を検出することにより行われる。即ちこの場合の磁気ヘッドは、磁気カードに対して情報の記録や再生を行う通常のヘッドとしての役割と、挿入された物体が磁気カードかどうかを判別する手段としての役割との両方を備えている。磁気カードリーダに挿入された磁気カードはこの磁気ヘッドに近接し、所定の再生信号の出力が確認されて磁気カードであるかが判断される。
また、カード挿入口から磁気カードが挿入されると、まず最初にデータ部分に記録された情報が磁気ヘッドにより再生され、所定の再生信号が出力されるかどうかによって磁気カードが更に取り込まれるべきかあるいは取り込まれないべきかが判断される。
請求項２記載の発明では、カード挿入口より挿入された磁気カードをカードリーダ内部に取り込むためのカード取り込み手段と磁気カードに設けられた磁気データを再生する磁気ヘッドとを有する磁気カードリーダのカード取り込み方法において、カード取り込み手段による磁気カードの取り込み動作に対し、磁気ヘッドにより所定の再生信号が出力されたときは磁気カードを内部に取り込み、磁気ヘッドによる所定の再生信号が出力されないときは磁気カードの取り込みを停止することに加え、磁気ヘッドをカード挿入口の近傍位置に設け、カードの取り込みを停止したときカードの後端がカード挿入口より突出した位置となるように設定し、カードの取り込み停止は停止状態を継続するモードとしている。
したがって磁気カードかどうかの判別などが、磁気ヘッドが磁気カードの所定の再生信号の有無を検出することにより行われる。即ちこの場合の磁気ヘッドは、磁気カードに対して情報の記録や再生を行う通常のヘッドとしての役割と、挿入された物体が磁気カードかどうかを判別する手段としての役割との両方を備えている。磁気カードリーダに挿入された磁気カードはこの磁気ヘッドに近接し、所定の再生信号の出力が確認されて磁気カードであるかが判断される。
また、磁気ヘッドをカード挿入口の近傍位置に設け、カードの取り込みを停止したときカードの後端がカード挿入口より突出した位置となるように設定し、カードの取り込み停止は停止状態を継続するモードとなるようにしているので、カードが全部取り込まれるまでにその識別を行うことが可能となる。また磁気カードの所定の再生信号が検出されずに取り込みが止められたとき、カードはその後端がカード挿入口から突出した状態で停止する。このときのカードは搬送ローラなどのローラ間に挟まれた状態で保持され、後方に引っ張られれば引き抜かれ得る状態とされている。またここでは停止状態が継続するモードに突入するため、そのカードは後端が突出した状態で保持され続ける。
【０００８】
請求項３記載の発明の磁気カードリーダのカード取り込み方法では、磁気カードの取り込み停止は、停止状態を継続するモードと、カードを排出するモードのいずれかとなるようにしている。したがって磁気ヘッドにより真正なものでないと判断された磁気カードや磁気カードでないものはそれ以上磁気カードリーダ内に取り込まれなくなり、取り込みが停止した位置でそのままの状態とされるか、あるいは取り込まれるときとは反対の方向へ搬送されてカード挿入口方向から排出される。
【０００９】
請求項４記載の発明の磁気カードリーダのカード取り込み方法においては、磁気カードの挿入を検出する検出スイッチを設け、カード取り込み手段はカード移送用の駆動手段を駆動するモータを有し、検出スイッチによるカード挿入検出によりモータをカード取り込み方向に回転させるとともに磁気ヘッドを動作させ、磁気ヘッドにより所定の再生信号が出力されたときはモータの回転を継続し、磁気ヘッドによる所定の再生信号が出力されないときはモータを逆転させるようにしている。
【００１０】
したがって、カード挿入口から挿入された磁気カードは、磁気ヘッドにより所定の再生信号の出力が検出されれば真正であると判断されてカード取り込み手段により更にカードリーダ内部へと取り込まれる一方、所定の再生信号の出力が検出されなければ真正なものであるとは判断されず、逆方向へと搬送されてカード挿入口から排出される。
【００１２】
請求項５記載の発明は、請求項１に記載の磁気カードリーダのカード取り込み方法において、磁気ヘッドをカード挿入口の近傍位置に設け、カードの取り込みを停止したときカードの後端がカード挿入口より突出した位置となるように設定し、カードの取り込み停止は停止状態を継続するモードとなるようにしている。したがってカードが全部取り込まれるまでにその識別を行うことが可能となる。また磁気カードの所定の再生信号が検出されずに取り込みが止められたとき、カードはその後端がカード挿入口から突出した状態で停止する。このときのカードは搬送ローラなどのローラ間に挟まれた状態で保持され、後方に引っ張られれば引き抜かれ得る状態とされている。またここでは停止状態が継続するモードに突入するため、そのカードは後端が突出した状態で保持され続ける。
【００１３】
請求項６記載の発明の磁気カードリーダのカード取り込み方法においては、磁気カードの最初のデータ部分はあらかじめ定められた特定のデータが記録された部分とされている。したがって磁気カードリーダに挿入されたカードにこの特定のデータが記録されているかどうかが磁気ヘッドによって検出され、磁気カードであるかが判断される。
【００１４】
【発明の実施の形態】
以下、本発明の構成を図面に示す実施の形態の一例に基づいて詳細に説明する。
【００１５】
図１と図２に、本発明の磁気カードリーダのカード取り込み方法の一実施形態を示す。この磁気カードリーダ１は、カード挿入口２より挿入された磁気カード１０を内部に取り込むためのカード取り込み手段３と、磁気カード１０に設けられた磁気データを再生する磁気ヘッド４とを有している。
【００１６】
本実施形態で取引されるカード１０の磁気記録部にはあらかじめカード識別情報が記録されている。この記録された情報は磁気ヘッド４による読み取りが可能なものであり、カード１０の識別や種別などの判断に用いられる。本実施形態では、この記録情報としてカード１０のはじめの部分に所定数の０（ゼロ）データからなる情報が設けられ、その数によってカード１０の真偽などの識別を行い得るようにされている。この０データ領域は例えば磁気カード１０のデータトラックのうち最初のデータ部分として記録されており、磁気カード１０の最初のデータ部分は０データの連続した部分とされている。磁気ヘッド４は、読み取ったこの０データを再生してカード１０の取り込み継続あるいは取り込み中止などを判断する。ただし、カード１０に記録される識別情報はこの０データに特に限定されることはなく、磁気ヘッド４によって読み取られ得る他の情報をこのカード１０に記録するようにしても良いことは勿論である。
【００１７】
カード挿入口２の近傍位置に設けられる磁気ヘッド４は、カード１０の取り込みを停止したときカード１０の後端１０ａがカード挿入口２より突出した位置となるように設定されている。即ち、カード挿入口２から挿入された磁気カード１０が真正なものでない故にその磁気カード１０の取り込み動作が停止されたとき、カード１０の少なくとも後端１０ａをカード挿入口２から突出させることによって手動で当該カード１０を引き出すことができるように設けられている。したがって、カード挿入口２から磁気ヘッド４までの距離Ｌ２は少なくとも磁気カード１０の搬送方向の長さＬ１よりも短くなるように設けられている。このように、磁気カード１０がカード取り込み手段３のローラ３１，３２にかかっていれば真正でないカード１０を排出し、あるいはその位置に停止させることができる。
【００１８】
カード取り込み手段３による磁気カード１０の取り込み動作に対し、磁気ヘッド４により所定の再生信号が出力されたときは磁気カード１０を内部に取り込むようにしている。一方、磁気ヘッド４による所定の再生信号が出力されないときはカード１０の取り込みを停止するようにしている。この場合、カード取り込み手段３としては例えば図１に示すような駆動ローラ３１，３１と搬送ローラ３２，３２との組み合わせが用いられており、この駆動ローラ３１，３１を回転させることによってカード１０を挟み込むようにしながら内部へ取り込んでいる。一方、駆動ローラ３１，３１を逆回転させることによってカード１０をカード挿入口２方向へも搬送することができる。尚、本実施形態では、カード取り込み手段３はカード移送用の駆動手段を駆動するモータ（図示省略）を有している。
【００１９】
また、このカード取り込み手段３を停止させることによって磁気カード１０の取り込みを停止させることができる。この場合、磁気カード１０の取り込み停止には、停止状態を継続するモードと、カード１０を排出するモードとがあり、そのうちのいずれかが適宜用いられる。
【００２０】
本実施形態ではカード１０が挿入されるカード挿入口２の後段に磁気カード１０の挿入を検出する検出スイッチ５を設けている。この検出スイッチ５によってカード１０の挿入が検出されると、カード取り込み手段３を駆動するモータをカード取り込み方向ｄに回転させるとともに磁気ヘッド４を動作させるようにしている。そしてこの磁気ヘッド４により所定の再生信号が出力されたときはモータの回転を継続し、磁気ヘッド４による所定の再生信号が出力されないときはモータを逆転させるようにしている。
【００２１】
以上のような構成の磁気カードリーダ１によるカード取り込みの流れの一例を図２に示す。ここでは、検出スイッチ５などのカードセンサも用いて磁気カード１０のデータを読み込み、磁気カード１０の識別を行っている。磁気カード１０のはじめの部分には０データが並んで配置されているため、カード１０の識別はこの０データを元にして行われる。この結果、挿入されたカード１０に所定数の０データが検出されればカード読み込み操作あるいは記録操作が引き続き通常のカード取引の一環として行われる。一方、磁気カード１０が真正のものでないと判断された場合には、そのカード１０の取り込みが中止される。このような場合の一例としては、例えばモータの回転を止めてカード１０を所定位置に停止させ、それ以上カード１０を取り込まないようにするものがある。またここでは、このままカード１０の取り込みを停止する停止状態を継続するモードとして停止した状態を保つようにしても良いし、あるいはモータを逆転させてカード１０をカード挿入口２から排出するようにしても良い。停止状態を保つ場合には、図１に示すように、カード１０の一部がカード挿入口２から突出して手で抜き取ることができるような位置で停止させる。
【００２２】
このようなカード取り込み方法によれば、磁気カードリーダ１の磁気ヘッド４に従来のプリヘッドの機能を併せて備えさせるようにしているため、プリヘッドを設ける必要がない。したがって、特に小型の磁気カードリーダ１におけるスペースの有効活用とともにコストの削減なども図ることができる。また本発明では、カード１０が磁気カードリーダ１内に全部取り込まれるまでにその真偽や種別の判断を行うことを可能としているため、カード１０が異形や穴あきなどであってもセンサが誤動作するなどして詰まらせてしまうようなことがない。
【００２３】
尚、上述の実施形態は本発明の好適な実施の一例ではあるがこれに限定されるものではなく本発明の要旨を逸脱しない範囲において種々変形実施可能である。例えば本実施形態では、磁気ヘッド４が磁気カード１０の所定の再生信号の有無を検出することによりその識別が行われていたが、識別信号は特にこの再生信号に限られることはなく、真正の磁気カード１０を識別することができる信号ならば足りることはいうまでもない。
【００２４】
【発明の効果】
以上の説明より明らかなように、請求項１記載の発明の磁気カードリーダのカード取り込み方法では、カード取り込み手段による磁気カードの取り込み動作に対し、磁気ヘッドにより所定の再生信号が出力されたときは磁気カードを内部に取り込み、磁気ヘッドによる所定の再生信号が出力されないときは磁気カードの取り込みを停止するようにしているので、所定の磁気カードだけを磁気カードリーダに取り込むことができる。しかもこの判断は磁気ヘッドにより行われているので、磁気カード識別に従来より用いられてきたプリヘッドなどを用いる必要がない。よって磁気カードリーダをコンパクトに設計し、スペースを有効活用することができる。更に本発明によれば、カードが磁気カードリーダ内に全部取り込まれるまでにその識別や種別の判断を行うことを可能としているため、カードが異形や穴あきなどであってもセンサが誤動作するなどして詰まらせてしまうようなことがない。
また請求項１記載の発明の磁気カードリーダのカード取り込み方法では、磁気ヘッドは磁気カードのデータトラックに記録された最初のデータ部分を再生してカードの取り込み継続を判断するものであるため、このデータ部分に正規のデータなどが記録された磁気カードだけが磁気カードリーダに取り込まれる。したがって、磁気ヘッドを用いて磁気カードの識別と記録や再生との両方を行うことができる。
また、請求項２記載の発明の磁気カードリーダのカード取り込み方法では、カード取り込み手段による磁気カードの取り込み動作に対し、磁気ヘッドにより所定の再生信号が出力されたときは磁気カードを内部に取り込み、磁気ヘッドによる所定の再生信号が出力されないときは磁気カードの取り込みを停止するようにしているので、所定の磁気カードだけを磁気カードリーダに取り込むことができる。しかもこの判断は磁気ヘッドにより行われているので、磁気カード識別に従来より用いられてきたプリヘッドなどを用いる必要がない。よって磁気カードリーダをコンパクトに設計し、スペースを有効活用することができる。更に本発明によれば、カードが磁気カードリーダ内に全部取り込まれるまでにその識別や種別の判断を行うことを可能としているため、カードが異形や穴あきなどであってもセンサが誤動作するなどして詰まらせてしまうようなことがない。
しかも、請求項２記載の発明の磁気カードリーダのカード取り込み方法では、磁気ヘッドをカード挿入口の近傍位置に設け、カードの取り込みを停止したときカードの後端がカード挿入口より突出した位置となるように設定しているので、真正でないカードなどを排出する際、カード挿入口から手で引っぱり出すことができる。またカードの取り込み停止は停止状態を継続するモードとしているので、カードの後端をカード挿入口から突出させたままの状態で、引っぱり出されるまで保持することができる。
【００２５】
また請求項３記載の発明の磁気カードリーダのカード取り込み方法では、磁気カードの取り込み停止は、停止状態を継続するモードと、カードを排出するモードのいずれかとなるようにしているので、所定以外の真正でないカードはそれ以上磁気カードリーダ内に取り込まれなくなり、取り込み停止した位置でそのままの状態で保持されるか、あるいは取り込まれるときとは反対の方向へ搬送されてカード挿入口方向から排出される。
【００２６】
請求項４記載の発明の磁気カードリーダのカード取り込み方法では、磁気カードの挿入を検出する検出スイッチを設け、カード取り込み手段はカード移送用の駆動手段を駆動するモータを有し、検出スイッチによるカード挿入検出によりモータをカード取り込み方向に回転させるとともに磁気ヘッドを動作させ、磁気ヘッドにより所定の再生信号が出力されたときはモータの回転を継続し、磁気ヘッドによる所定の再生信号が出力されないときはモータを逆転させるようにしているので、磁気カードは真正であると判断されれば更に内部に取り込まれる一方、真正でないと判断されれば逆方向へ搬送される。したがって、挿入直後に、磁気カードであるかを検出スイッチおよび磁気ヘッドで判断することができる。
【００２８】
更に請求項５記載の発明では、請求項１に記載の磁気カードリーダのカード取り込み方法において、磁気ヘッドをカード挿入口の近傍位置に設け、カードの取り込みを停止したときカードの後端がカード挿入口より突出した位置となるように設定しているので、真正でないカードなどを排出する際、カード挿入口から手で引っぱり出すことができる。またカードの取り込み停止は停止状態を継続するモードとしているので、カードの後端をカード挿入口から突出させたままの状態で、引っぱり出されるまで保持することができる。
【００２９】
また請求項６記載の発明の磁気カードリーダのカード取り込み方法では、磁気カードの最初のデータ部分はあらかじめ定められた特定のデータが記録された部分とされているので、磁気カードリーダに挿入された磁気カードにこの特定のデータが記録されているかどうかが磁気ヘッドによって検出される。これによって、磁気カードであるかなどを判断することができる。
【図面の簡単な説明】
【図１】本発明の磁気カードリーダのカード取り込み方法の一実施形態を示す、磁気カードと磁気カードリーダの概略側面図である。
【図２】磁気カードリーダに磁気カードを取り込む様子を示すフロー図である。
【図３】従来の磁気カードリーダの構成を示す簡略図である。
【符号の説明】
１  磁気カードリーダ
２  カード挿入口
３  カード取り込み手段
４  磁気ヘッド
５  検出スイッチ
１０  磁気カード
１０ａ  後端
ｄ  カード取り込み方向
【図１】
0003583280.tif 000002
【図２】
0003583280.tif 000003
【図３】
0003583280.tif 000004